(57)【要約】【課題】  テープフィーダの巻取リールに巻き取られたカバーテープを個々の切片に切断して大量に収容できるばかりでなく、その除去収容速度ないし処理速度を格段と高速化できるようにしたカバーテープ処理装置の提供。【解決手段】  ゴミ容器Ｂを出し入れできるようにするとともに、頂壁の適所にテープフィーダの巻取リールに巻き取られたカバーテープＴを投入し得るようにした投入口３を設けたハウジングＡの内側上部に、高速気流発生手段と発生する高速気流を下方へ案内する案内筒Ｇからなっていて、前記投入口に投入されるカバーテープを高速気流により連続的に吸引し得るようにした吸引装置Ｃと該テープを切断し、個々の切片にする電動切断装置Ｄを設ける。使用にあたっては、ゴミ容器をハウジング内に配置し、かつ吸引装置と電動切断装置を起動した状態でカバーテープを投入口に投入する。【選択図】    図１１
2008016463.tif 000002
【特許請求の範囲】
【請求項１】
周壁の一部に開閉自在な開口を設け、該開口を通してゴミ容器を出し入れできるようにするとともに、テープフィーダの巻取リールに巻き取られた使用済みのカバーテープの投入口を頂壁の適所に設けたハウジングの内側上部に、高速気流発生手段と発生する高速気流を下方へ案内する案内筒とからなっていて、前記投入口に投入される前記カバーテープを高速気流により連続的に下方へ吸引連行し得るように構成した吸引装置を設けるとともに、この吸引装置の案内筒の出口から前記高速気流によって排出されてくるカバーテープを一定の長さに連続的にカットし得るように構成した電動切断装置を設け、使用に当たっては、前記ゴミ容器を前記ハウジング内に配置し、かつ前記吸引装置及び切断装置を起動した状態で前記カバーテープを前記投入口に投入すると、該カバーテープが前記高速気流によりほどかれながら前記吸引装置を通過するとともに、該切断装置により切断され、個々の切片となって該ゴミ容器内に自動的に落下蓄積されるようにしたことを特徴とするカバーテープ処理装置。
【請求項２】
前記高速気流発生手段が、環状に所定の間隔をおいて配設され、かつ圧力空気を垂直に下方へ噴出する複数の噴口を備えた環状の空気通路を有する吹出ノズルからなっていて、該吹出ノズルは、上下に貫通するとともに、前記ハウジングの頂壁に設けたカバーテープの投入口と連通するホッパー状の開口部を備えていることを特徴とする請求項１に記載のカバーテープ処理装置。
【請求項３】
前記案内筒は断面円形の円筒体からなり、カプラを介して、前記吹出ノズルのホッパー状開口部の下端開口を下方から覆うように該吹出ノズルの下面側に垂下突設されていることを特徴とする請求項１又は２に記載のカバーテープ処理装置。
【請求項４】
前記電動切断装置が互いに対向するく字状の刃縁をそれぞれ有する一対の水平な固定切断刃部と該固定刃部と交互に摺接してカバーテープの切断動作を行う切断刃部を備えた揺動アームとからなっていることを特徴とする請求項１又は２に記載のカバーテープ処理装置。
【請求項５】
揺動アームが垂直軸線周りに揺動せしめられるようになっていることを特徴とする請求項４に記載のカバーテープ処理装置。
【発明の詳細な説明】
【技術分野】
【０００１】
本発明は、電子部品収納テープを用いてそれに収納されている電子部品を１個づつ供給するテープフィーダの供給作業工程において、該収納テープの本体から剥離され、巻取リールに巻き取られたカバーテープを処理するカバーテープ処理装置に関する。
【背景技術】
【０００２】
供給リールに巻き付けられている電子部品収納テープをピッチ送りすると共に、そのテープ本体に貼着されているカバーテープを該テープ本体から強制剥離して電子部品を一個づつ電子部品実装装置のピックアップ位置に給送するようにしたテープフィーダであって、電子部品収納テープのテープ本体からカバーテープを剥離する機構として巻取リールを使用したものが知られているが、電子部品収納テープの交換に当たっては巻取リールからそれに巻き取られたカバーテープを除去するのに時間と手間のかかる作業が必要であるため、テープフィーダの効率的稼動が困難であった。
【０００３】
そこで、本出願人は、先に、テープフィーダにおいて、電子部品収納テープのテープ本体からカバーテープを強制剥離する手段として巻取リールに代えて一対のカバーテープ処理ローラを採用し、該処理ローラ間を通過したカバーテープはそのままカバーテープ収容ケース内に収容するようにしたカバーテープ処理装置を提案した。
【特許文献１】特開平３−２７２９６９号公報
【発明の開示】
【発明が解決しようとする課題】
【０００４】
しかし乍ら、この公知例にあっては、カバーテープ収容ケースはテープフィーダの基台上の機枠に巻取リールと同様の態様で取り付けられるため、容積を大きくすることができずカバーテープを大量に収容できないという欠点やカバーテープの除去収容速度が電子部品収納テープの送り速度を越えることができないため、処理速度を高速化することができないという欠点等があった。
【０００５】
本発明は、先行技術の有する上記の如き欠点に鑑みてなされたものであって、使用済みカバーテープ、即ちテープフィーダの巻取リールに巻き取られたカバーテープをほどきながら個々の切片に切断するとともに、ゴミ容器を大きくして大量に収容することができるばかりでなく、その除去収容速度ないし処理速度を格段と高速化できるようにし、もってテープフィーダの効率的稼動を可能ならしめるようにしたカバーテープ処理装置を提供することをその主たる目的とするものである。
【課題を解決するための手段】
【０００６】
上記目的を達成するために、請求項１に記載の本発明に係るカバーテープ処理装置は、周壁の一部に開閉自在な開口を設け、該開口を通してゴミ容器を出し入れできるようにするとともに、頂壁の適所にテープフィーダの巻き取りリールに巻き取られた使用済みのカバーテープを投入し得るようにした投入口を設けたハウジングの内側上部に、高速気流発生手段と発生する高速気流を下方へ案内する案内筒からなっていて、前記投入口に投入される前記カバーテープを高速気流により連続的に下方へ吸引連行し得るように構成した吸引装置を設けるとともに、
この吸引装置の案内筒の出口から前記高速気流によって排出されてくるカバーテープを一定の長さに連続的にカットし得るように構成した電動切断装置を設け、使用に当たっては、前記ゴミ容器を前記ハウジング内に配置し、かつ前記吸引装置及び切断装置を起動した状態で前記カバーテープを前記投入口に投入すると、該カバーテープが前記高速気流によりほどかれながら前記吸引装置を通過するとともに、該切断装置により切断され、個々の切片となって該ゴミ容器内に自動的に落下蓄積されるようにしたことを特徴とするものである。
【０００７】
また、請求項２に記載の本発明に係るカバーテープ処理装置は、請求項１に記載のものにおいて、上記の高速気流発生手段が、環状に所定の間隔をおいて配設され、かつ圧力空気を垂直に下方へ噴出する複数の噴口を備えた環状の空気通路を有する吹出ノズルからなっていて、該吹出ノズルは、上下に貫通するとともに、前記ハウジングの頂壁に設けたカバーテープの投入口と連通するホッパー状の開口部を備えていることを特徴とするものである。
【０００８】
さらに、請求項３に記載の本発明に係るカバーテープ処理装置は、請求項１又は２に記載のものにおいてに、上記案内筒は断面円形の円筒体からなり、カプラを介して、前記吹出ノズルのホッパー状開口部の下端開口を下方から覆うように該吹出ノズルの下面側に垂下突設されていることを特徴とするものである。
【０００９】
また、請求項４に記載の本発明に係るカバーテープ処理装置は、請求項１に記載のものにおいて、前記電動切断装置が互いに対向するく字状の刃縁をそれぞれ有する一対の水平な固定切断刃部と該固定刃部と交互に摺接してカバーテープの切断動作を行う切断刃部を備えた揺動アームとからなっていることを特徴とするものである。
【００１０】
さらに、また、請求項５に記載の本発明に係るカバーテープ処理装置は、請求項１又は４に記載のものにおいて、揺動アームが垂直軸線周りに揺動せしめられるようになっていることを特徴とするものである。
【発明の効果】
【００１１】
本発明は、上記の如く構成されているので、それによれば、テープフィーダの巻取リールに巻き取られたカバーテープをほどきながら個々の切片に切断するとともに、ゴミ容器を大きくして大量に収容することができるばかりでなく、その除去収容速度ないし処理速度を格段と高速化できるようにし、もってテープフィーダの効率的稼動を可能ならしめるようにしたカバーテープ処理装置を得ることができる。
【発明を実施するための最良の形態】
【００１２】
以下、本発明の実施形態につき、添付図面を参照して詳細に説明する。
【実施例】
【００１３】
図面は本発明の一実施例を示したもので、Ａはその実施例装置の本体を構成する横断面矩形の縦長のハウジングであり、その四周壁の１つＡ１には開閉扉１で自在に開閉できる大きな開口２が設けられているとともに、その頂壁Ａ２の適所にはテープフィーダの巻取リールに巻き取られた使用済みのカバーテープＴを投入し得るようにした投入口３が設けられており、カバーテープＴを大量に収容し得るようにした比較的大なる容積を有する直方形のゴミ容器Ｂを前記開口２を通して出し入れできるようになっている。
【００１４】
前記ハウジングＡの内側上部には、高速気流発生手段と発生する高速気流を下方へ案内する案内筒とからなっていて、前記投入口３に投入されるカバーテープＴを高速気流により連続的に下方へ吸引連行し得るようにした吸引装置Ｃが設けられている。
【００１５】
前記高速気流発生手段は、図示の例にあっては、環状に所定の間隔をおいて配設され、かつ圧力空気を垂直に下方へ噴出する複数の噴口４を備えた環状の空気通路５を有する吹出ノズルＮからなっていて、該吹出ノズルＮは、上下に貫通するとともに、ハウジングＡの頂壁Ａ２に設けたカバーテープＴの投入口３と連通するホッパー状の開口部６を備えている。
【００１６】
前記案内筒は断面円形の円筒体Ｇからなり、カプラ７又は外向きフランジを介して、前記吹出ノズルＮのホッパー状開口部６の下端開口６Ａ及び噴口４を下方から覆うように該吹出ノズルＮの下面側に垂下突設されている。
【００１７】
吹出ノズルＮには、環状の空気通路５と連通する一対の直線状の空気導入路８Ａ、８Ｂが直径方向に対向して貫設されており、各空気導入路８Ａ、８Ｂには外部の圧力空気源に接続されている空気供給管路にそれぞれ接続された空気供給管９Ａ、９Ｂが入口継手１０Ａ、１０Ｂを介してそれぞれ接続されている。吹出ノズルＮの上端面１１は、平坦な環状の頂面として形成されていて、ハウジングＡの頂壁Ａ２の投入口３を下方からそのホッパー状開口部６で覆うようにして該頂壁Ａ２の下面に密着させた態様で複数の押さえねじ１３で螺着してある。
【００１８】
図６〜９は、前記吸引装置Ｃの案内筒の出口から前記高速気流によって排出されてくるカバーテープＴを一定の長さに連続的にカットし得るように構成した高速電動切断装置Ｄを示したもので、図６は該切断装置Ｄを反転させた状態の分解斜視図であり、図７はその組立体を反転させて斜め上からみた斜視図である。図中、２０は該切断装置Ｄの矩形状の台板、２１は台板２０の一側寄りに設けた第１の円形孔、２２は該台板の他側寄りに設けた第２の円形孔、Ｍは電動機、Ｓはその支持台、３５は台板２０と支持台Ｓ間の円柱状をした複数のスペーサである。
【００１９】
２３はその端部に駆動ディスク２３´を固定した電動機Ｍの出力軸で、該駆動ディスク２３´は前記した第２の円形孔２２内で回転駆動されるようになっている。２４はこの駆動ディスク２３´の偏心部位に突設され、その端部に比較的小径のアイドルホイール２４´を遊嵌した偏心ピンであり、該駆動ディスクと一体に垂直軸線周りに回転駆動される。２５は前記第１の円形孔２１が設けられている台板２０の一側の部位に形成された比較的大きなスペースを有する矩形の凹所であり、該凹所２５内には、く字状の刃縁２６Ａ´２６Ｂ´をそれぞれ有する前後一対の水平な固定切断刃部２６Ａ、２６Ｂが該円形孔２１の前後両側に臨ませて対向配置されている。
図５及び１１は、そのボス状の巻取部１２´の外周にカバーテープＴが渦状に巻き取られている巻取リール１２をハウジングＡの上方に浮上させた状態で示してあるが、これは該実施例装置の使用方法の一例を示したにすぎないものである。即ち、装置の使用時に、巻取リール１２は、これを巻取部１２´を下向きにして手で保持した状態でカバーテープＴを前記投入口３に投入して処理作業を行う場合を示したにすぎない。カバーテープＴの先端部を前記投入口３に投入した後は、巻取リール部材１２を手で保持することなく、その巻取部１２´を下向きにした状態で、該投入口３の周りにおいてそれぞれ上方へ若干突出している前記複数の押さえねじ１３の頭部１３´上に載置しておくようにしても良い。
【００２０】
２７は搖動アームであり、この搖動アームは先端部を幅の狭い突出部２７Ａとした細長い長方形の部材からなっており、その突出部２７Ａには、この搖動アーム２７が搖動すると、これと一体に搖動して前記固定切断刃部２６Ａ、２６Ｂとそれぞれ交互に摺接してカバーテープＴの切断動作を行う切断刃部２８が設けられている。２９は前記突出部２７Ａとは反対側の搖動アーム２７の端部からほぼ中央部にかけて延在する、幅寸法が前記アイドルホイール２４´の直径とほぼ同一で、出力軸２３と偏心ピン２４との軸間距離より大きい細長状の案内溝であり、この案内溝２９には、図７〜９に示すように、前記アイドルホイール２４´が摺回動自在に嵌合されている。２７´は搖動アーム２７の中央部に穿設した円形の貫通孔である。
【００２１】
３０は前記した搖動アーム２７を搖動可能に支持するための中央部を幅広にした細長状の支持枠であり、この支持枠３０には、その中央部の中心にねじ部３１を備えた枢軸３２がその一端部にスペーサ３３´を有する取付ねじ３３が、その他端部に該スペーサと同様のスペーサ３４´を有する取付ねじ３４がそれぞれ設けられている。そして、該支持枠３０は、図６に示すように、その中央部中心のねじ部３１を搖動アーム２７中央部の貫通孔２７´を貫通させ、かつ前記台板２０の中央部に設けたねじ孔３１´と螺合させるとともに、両端部の取付ねじ３３、３４を該ねじ孔３１´を狭んだ台板２０の前後両側部に設けたねじ孔３３´３４´にそれぞれ螺合させてやることによって、搖動アーム２７を前記枢軸３２周りに搖動できるように支持した態様で台板２０に取り付けてある。
【００２２】
図１０は上記電動切断装置Ｄを吸引装置Ｃを備えたハウジングＡの内部に取り付けた状態を示す一部縦断斜視図である。図中、２０は台板、２１は第１の円形孔、２７Ａは搖動切断刃部２８を備えた搖動アーム２７の突出部、Ｇは案内筒としての円筒体、Ｍは電動機、Ｓはその支持台、３５はスペーサである。
この、搖動アーム２７を搖動させてその搖動切断刃部２８でカバーテープＴをカットさせるための搖動機構は、図６〜９を参照してした上記説明から分かるように、電動機Ｍによって回転駆動される前記駆動ディスク２３´と、その偏心部位に突設された前記偏心ピン２４と、これに遊嵌された前記ホイール２４´と、これを摺回動可能に収容する前記案内溝２９と、搖動アーム２７の搖動中心ないし支点としての前記枢軸３２とからなっていて、搖動アーム２７はクランクに相当する回転リンクとしての駆動ディスク２３´の偏心ピン２４の回転により該枢軸３２のまわりに所要の角範囲に亘って搖動せしめられる。
【００２３】
次に図５〜１１を用いて上記の如く構成された本発明装置の実施例の作動について説明する。
使用に当たっては、先ず最初に、図５に示すように、ゴミ容器ＢをハウジングＡ内に配置してその開口２の開閉扉１を閉める。次いで、前記した空気供給管９Ａ、９Ｂ、空気導入路８Ａ、８Ｂ等を経由して圧力空気を環状の空気通路５に導入し、前記吸引装置Ｃ及び電動切断装置Ｄを始動させる。この状態において、渦状に巻き取られたカバーテープＴの先端部をハウジング頂壁Ａ２の投入口３に投入すると、該カバーテープＴは該投入口に連通する高速気流発生手段としての吹出ノズルＮにおいて発生し、案内筒としての円筒体Ｇによって下方へ案内される高速気流によってほどかれながらその出口から下方へ排出されてくる。その際、図示の例にあって電動切断装置Ｄの台板２０の前記第１の円形孔２１が該案内筒Ｇの出口に接続されているとともに、前述したように、く字状の刃縁２６Ａ´２６Ｂ´をそれぞれ有する前記一対の水平な固定切断刃部２６Ａ、２６Ｂが該円形孔２１の前後両側に臨ませて対向配置されているので、カバーテープＴは該円形孔２１及び互いに対向する該一対の固定切断刃部２６Ａ、２６Ｂ間の開口部内へ進入する。
【００２４】
この場合、電動切断装置Ｄの搖動アーム２７は前後方向に搖動運動をしているので、該固定切断刃部２６Ａ、２６Ｂ間の開口部内へ進入してきたカバーテープＴは搖動アーム２７の先端突出部２７Ａの切断刃部２８が該カバーテープＴを押した状態で該固定切断刃部２６Ａ、２６Ｂのいずれか一方と摺接してその切断動作を連続的に行うため、吸引装置ＣによりカバーテープＴの吸引が行われている限り、該カバーテープＴは自動的に個々の切片Ｔ１、Ｔ２、Ｔ３に分断された状態となって前記ゴミ容器Ｂ内に収容され、蓄積される。
なお、図示の例にあっては、図８及び９において偏心ピン２４が反時計方向に回転せしめられると、搖動切断刃部２８搖動せしめられるようになっている。図８は搖動アーム２７が支持枠３０と直交し、偏心ピン２４が死点位置になる状態を示している。
【００２５】
図中、Ａ３は網戸状の排気窓、Ａ４はハウジングＡの底部の四隅角部にそれぞれ配設されたキャスタ、Ｂ´はゴミ容器Ｂの対向側壁部に設けられた手指挿入口、Ｂ″は中央部にテープＴの通過用透孔１６を有するゴミ容器Ｂの蓋、１７は蓋Ｂ″ないしハウジングＡを固定する固定具である。なお、図示していないが、ゴミ容器Ｂの側壁適所には排気用の小孔が多数穿設されている。
【００２６】
上記した実施例装置の外形寸法は、横幅が２５０ｍｍ、奥行きが３００ｍｍ、高さが９２０ｍｍとなっていて、その重量は１５ｋｇである。
そして、それらの吸引対応幅は８ｍｍ、１２ｍｍ、１６ｍｍ、２４ｍｍであり、カバーテープの除去スピードは、テープの素材や幅により異なる。例えば８ｍｍ幅テープの場合、秒速約１０ｍであり、極めて高い。また、除去されるテープは容積の大なるテープ収容容器としてのゴミ容器Ｂに個々の切片が分断されて収納されるので、テープ収納量を大幅に増大させることが可能となる。
【産業上の利用可能性】
【００２７】
本発明は、上記の如く構成され、上記の如き機能を有し、カバーテープの除去収容速度ないし処理速度を格段と高速化できるとともに、その収納量をも大幅に増大させることが可能となるため、テープフィーダの効率的稼動、従ってまた、プリント基板の表面実装作業の能率の向上に大いに寄与することができ、電子機器産業での利用価値は多大である。
【図面の簡単な説明】
【００２８】
【図１】本発明の一実施例装置の斜視図である。
【図２】上記実施例装置の要部としての吸引装置の斜視図である。
【図３】図２に示した吸引装置の吹出ノズルの一部を切断して示した斜視図            である。
【図４】図２に示した吸引装置の吹出ノズルの底面を拡大して示した底面図            である
【図５】上記実施例装置の使用状態の一例を示した斜視図である。
【図６】カバーテープの電動切断装置の分解斜視図である。
【図７】図６に示した装置の組立体の斜視図である。
【図８】上記電動切断装置の要部の底面図である。
【図９】揺動アームの揺動の様子を示す図８と同様の装置要部の底面図である。
【図１０】ハウジングの内部にの電動切断装置を取り付けた状態を示す斜視図である。
【図１１】装置の使用状態を示す一部縦断面である。
【符号の説明】
【００２９】
Ａ      ハウジング
Ａ２    頂壁
２      開口
Ｔ      カバーテープ
３      投入口
Ｂ      ゴミ容器
Ｃ      吸引装置
Ｄ      電動切断装置
Ｎ      吹出ノズル
Ｇ´    円筒体
４      噴口
５      環状の空気通路
６      ホッパー状開口部
６Ａ    下端開口
７      カプラ
８Ａ、８Ｂ  空気導入路
【図１】
2008016463.tif 000003
【図２】
2008016463.tif 000004
【図３】
2008016463.tif 000005
【図４】
2008016463.tif 000006
【図５】
2008016463.tif 000007
【図６】
2008016463.tif 000008
【図７】
2008016463.tif 000009
【図８】
2008016463.tif 000010
【図９】
2008016463.tif 000011
【図１０】
2008016463.tif 000012
【図１１】
2008016463.tif 000013